(57)【要約】【課題】高い広告効果が期待できる販売施設内における広告システムを提供する。【解決手段】広告表示を有し、かつ特定の識別情報４が付帯された広告被服１を提供する提供手段５と、広告被服１の識別情報４を読み取り可能な読取手段８と、読取手段８により読み取られた識別情報４を特定する判定手段と、判定手段により識別情報４が特定できたことに基づき被広告服１を着用した客に対して特典を進呈する進呈手段とを備えた。【選択図】図６
2020119344.tif 000002
【特許請求の範囲】
【請求項１】
広告表示を有し、かつ特定の識別情報が付帯された広告被服を提供する提供手段と、
前記広告被服の前記識別情報を読み取り可能な読取手段と、
前記読取手段により読み取られた前記識別情報を特定する判定手段と、
前記判定手段により前記識別情報が特定できたことに基づき当該被広告服を着用した客に対して特典を進呈する進呈手段と、
を備えることを特徴とする広告システム。
【請求項２】
前記読取手段により前記識別情報が読み取られたことを示す情報は記憶手段に記憶され、この記憶された情報の統計を確認可能となっていることを特徴とする請求項１に記載の広告システム。
【請求項３】
前記広告被服は、種類の異なる広告表示を有して複数用意されており、それぞれの前記広告被服には、種類に応じてそれぞれ異なる識別情報が付帯されていることを特徴とする請求項１または２に記載の広告システム。
【請求項４】
前記広告被服は一枚の布地から形成されており、左右両端の少なくとも一方に前記識別情報が配置されていることを特徴とする請求項１ないし３のいずれかに記載の広告システム。
【請求項５】
前記広告被服に付帯された前記識別情報は、全て固有の識別情報であり、
前記読取手段は、離れた位置に複数点在される付与用読取手段と、照会用読取手段とに大別され、それぞれ前記判定手段に対してネットワーク接続されており、
前記判定手段では、照会用読取手段にて前記識別情報が読み取られたことに基づき、当該識別情報がいずれの前記付与用読取手段にて読み取られたかを判定することを特徴とする請求項１ないし４のいずれかに記載の広告システム。
【請求項６】
前記判定手段では、照会用読取手段にて前記識別情報が読み取られたことに基づき、当該識別情報がいずれの前記付与用読取手段にて読み取られたかに応じて、当該広告被服を着用した客に対して前記提供手段から進呈される特典を選定することを特徴とする請求項５に記載の広告システム。
【請求項７】
前記付与用読取手段は、小売店内の商品陳列用什器の近傍に設置されていることを特徴とする請求項５または６に記載の広告システム。
【請求項８】
１の前記付与用読取手段にて、前記識別情報が読み込まれると、当該付与用読取手段が設置される床面にプロジェクションマッピングが行われることを特徴とする請求項５ないし７のいずれかに記載の広告システム。
【発明の詳細な説明】
【技術分野】
【０００１】
本発明は、販売施設内で利用され、客の商品への購買意欲を刺激する広告システムに関する。
【背景技術】
【０００２】
企業にとって、自社の商品や事業内容を広告することは経済活動において重要である。近年では、ＳＮＳ（ソーシャルネットワークサービス）を活用したソーシャルメディアマーケティングの広告効果に注目が集まっている。例えば写真を投稿するＳＮＳでは、広告効果を高める（話題を集める）ためには、この広告に関わる投稿数を増やすことと、その投稿に関心が集まること（「いいね」の数等）が重要である。そのため、商業施設等の販売施設では、ＳＮＳで話題になることを念頭に入れて、視覚的に特徴があり話題性に富むイベントを開催している。
【０００３】
従来からある視覚的に特徴がある広告活動としては、例えばクリスマスの時期に商業施設内にクリスマス用の装飾を施すといったことが行われている。ただ、このように建物等に装飾を施す手法は今や一般的であり、ＳＮＳで話題を集めるためには、他と違う手法を用いる必要がある。例えば、商業施設に来場した客に特許文献１や特許文献２のような視覚的に特徴のある衣装を着用してもらうイベントを開催することも考えられる。
【先行技術文献】
【特許文献】
【０００４】
【特許文献１】登録実用新案第３１１１９５８号公報（第５頁、第１図）
【特許文献２】登録実用新案第３２０２４１９号公報（第３頁、第１図）
【発明の概要】
【発明が解決しようとする課題】
【０００５】
近年では、このように特徴のある衣装を着用するという特殊な体験が伴う投稿に関心が集まりやすい傾向にある。また、このような視覚的に特徴のある衣装を貸し出すイベントは、販売施設内において注目を集めるため、例えば同販売施設内にて販売される企業の商品を広告する表示を衣装に印刷しておけば、販促効果が期待できる。しかしながら、視覚的に特徴のある衣装は、話題性に富む代わりに、目立ち過ぎて体験を敬遠される虞があり、期待した広告効果を得られず、このような広告手段が企業に採用されにくいという問題があった。
【０００６】
本発明は、このような問題点に着目してなされたもので、高い広告効果が期待できる販売施設内における広告システムを提供することを目的とする。
【課題を解決するための手段】
【０００７】
前記課題を解決するために、本発明の広告システムは、
広告表示を有し、かつ特定の識別情報が付帯された広告被服を提供する提供手段と、
前記広告被服の前記識別情報を読み取り可能な読取手段と、
前記読取手段により読み取られた前記識別情報を特定する判定手段と、
前記判定手段により前記識別情報が特定できたことに基づき当該被広告服を着用した客に対して特典を進呈する進呈手段と、
を備えることを特徴としている。
この特徴によれば、広告表示を有する広告被服には、読取手段によって読み取られることで、特典例えば販売施設内で利用できる割引特典が進呈される識別情報が付帯されているため、この特典を求める客に広告被服を着用する動機付けとなる。このようにして、視覚的に特徴のある被服を着用した状態の客が施設内を移動することで、多くの来客に対してこの広告被服に表示された広告表示を見せることができ、高い広告効果を期待できる。
【０００８】
前記読取手段により前記識別情報が読み取られたことを示す情報は記憶手段に記憶され、この記憶された情報の統計を確認可能となっていることを特徴としている。
この特徴によれば、識別情報が読み取られたことの統計に基づき、広告効果を確認することができる。
【０００９】
前記広告被服は、種類の異なる広告表示を有して複数用意されており、それぞれの前記広告被服には、種類に応じてそれぞれ異なる識別情報が付帯されていることを特徴としている。
この特徴によれば、客は複数種類の中から好みの広告被服を選択でき、広告被服の着用回数を増やすことができる。また、識別情報が読み取られたことの統計を比較することで、複数種類の広告被服から、人気のものを分析することができる。
【００１０】
前記広告被服は一枚の布地から形成されており、左右両端の少なくとも一方に前記識別情報が配置されていることを特徴としている。
この特徴によれば、広告被服に広告表示に利用できるつなぎ目のない広いスペースを確保できる。また、着用時の左右端に識別情報を配置することで、着用時において読取手段に簡単に読み取らせることができるようになるため、広告被服を手にとった客の着用率を高めることができる。
【００１１】
前記広告被服に付帯された前記識別情報は、全て固有の識別情報であり、
前記読取手段は、離れた位置に複数点在される付与用読取手段と、照会用読取手段とに大別され、それぞれ前記判定手段に対してネットワーク接続されており、
前記判定手段では、照会用読取手段にて前記識別情報が読み取られたことに基づき、当該識別情報がいずれの前記付与用読取手段にて読み取られたかを判定することを特徴としている。
この特徴によれば、判定手段において広告被服を個々に認識することができ、それぞれ着用回数の統計や、いずれの付与用読取手段にて識別情報が読み取られたかにより、客の移動経路の情報等の様々なデータを収集することができる。
【００１２】
前記判定手段では、照会用読取手段にて前記識別情報が読み取られたことに基づき、当該識別情報がいずれの前記付与用読取手段にて読み取られたかに応じて、当該広告被服を着用した客に対して前記提供手段から進呈される特典を選定することを特徴としている。
この特徴によれば、いずれの付与用読取手段にて識別情報が読み取られたかに応じて、様々な特典を客に進呈することができ、広告被服を着用した客の移動量の増加や移動経路の複雑化を生じさせ、多くの来客に対してこの広告被服に表示された広告表示を見せることができる。
【００１３】
前記付与用読取手段は、小売店内の商品陳列用什器またはその近傍に設置されていることを特徴としている。
この特徴によれば、付与用読取手段が設置される小売店内の商品陳列用什器に、広告被服を着用した客が移動することで、この広告被服が視界に入る客に対しての販促効果を期待できる。
【００１４】
１の前記付与用読取手段にて、前記識別情報が読み込まれると、当該付与用読取手段が設置される床面にプロジェクションマッピングが行われることを特徴としている。
この特徴によれば、例えば他と異なる特別な特典を用意することで、プロジェクションマッピングによる派手な広告演出が行われる付与用読取手段にて識別情報を読み込ませることができ、広告効果を高めることができる。
【図面の簡単な説明】
【００１５】
【図１】本発明の実施例１における広告システムを構成する広告被服であるマントを示す図である。
【図２】着用されたマントを示す図である。
【図３】マントの提供装置を示す図である。
【図４】特典提供装置の配置例を示す図である。
【図５】店舗内における特典提供装置の配置例を示す概念図である。
【図６】マントに印刷された二次元バーコードを読み取らせる様子を示す図である。
【図７】特典提供装置から特典である割引クーポンが進呈される様子を示す図である。
【図８】プロジェクションマッピングによる広告演出が行われる様子を示す図である。
【図９】本発明の実施例２における広告システムを構成するネットワークを示す概念図である。
【図１０】付与用バーコードリーダとディスプレイの配置例を示す図である。
【発明を実施するための形態】
【００１６】
本発明に係る広告システムを実施するための形態を実施例に基づいて以下に説明する。
【実施例１】
【００１７】
実施例１に係る広告システムにつき、図１から図８を参照して説明する。尚、本発明の広告システムを用いることができる販売施設としては、スーパーマーケットやコンビニ等の店舗や、複数の店舗が集まるデパートや商店街、複合商業施設等があるが、本実施例ではスーパーマーケットで利用する場合を例に説明する。
【００１８】
本発明の広告システムは、図１に示される広告被服であるマント１を備えている。マント１は、一枚の継ぎ目のない台形の布地から構成されており、その上端側の左右両端にループ２と紐３とを備え、着用時にこれらを首元で結き合わせられるようになっている。
【００１９】
マント１の表面１ａには、広告表示が印刷されている。広告表示は、広告主である企業の商品や事業内容等を示すものであり、本実施例では３つを例示する。図１（ａ）に示されるマント１には、生鮮食品である野菜を生産する企業における商品（トマト）が総柄で印刷されて広告表示を成している。図１（ｂ）に示されるマント１には、菓子を製造する企業における商品（ポテトチップス）が総柄で印刷されて広告表示を成している。図１（ｃ）に示されるマント１には、日用品を製造する企業における商品（洗剤）が総柄で印刷されて広告表示を成している。
【００２０】
また、マント１の表面１ａの右下隅には、二次元バーコード４が印刷されている。二次元バーコード４は、バーコードリーダにて読み取られると英字と数字の組み合わせからなる識別情報に復号される。マント１を着用すると、背中から両腕にかけて布地で覆われる。また、図２に示されるように、左右両端を正面側で重ねることで、ある程度の防寒機能も有し、冷蔵のオープンショーケース等が設置されて気温の低い売り場で重宝する。客に着用されたマント１は、広告表示が背中に、二次元バーコード４が右腕近傍に位置することになる。
【００２１】
図３に示されるように、マント１は店舗の例えば出入口付近に設置された広告システムを構成する貸出箱５（提供手段）にて提供される。貸出箱５には複数種類のマント１が収容されており、客は着用したい柄（広告表示）を選ぶことができる。貸出箱５の横には図示しない回収用の箱が設置されており、店舗を出る際に返却させるようになっている。
【００２２】
一部の商品陳列什器の近傍には、広告システムを構成する特典提供装置が配置されている。図４では生鮮食品用の冷蔵ショーケース（陳列什器）６の横に配置される特典提供装置７を例示している。図５では、特典提供装置７が配置される場所を黒丸にて示しており、特典提供装置７は、ドリンク類用の冷蔵ショーケースや、常温の陳列什器等の近傍や、これら陳列什器から離れた場所に、距離を置いて複数設置されている。
【００２３】
図３に示されるように、特典提供装置７は、ポール形状であり、その上端には斜めに傾斜する上面７ａが形成されている。この上面には読取り手段であるバーコードリーダ８と、スピーカー９が配置されている。また、特典提供装置７は、内部に印刷装置（進呈手段）を備え、この印刷装置の排出口１０が胴部に形成されている。後に詳述するが、バーコードリーダ８はマント１に印刷された二次元バーコード４を読み取り、復号することができる。
【００２４】
また、特典提供装置７は、コンピューター（判定手段）に接続されており、バーコードリーダ８で読み取った二次元バーコード４から復号した識別情報をコンピューターに問い合わせるようになっている。コンピューターでは、複数の識別情報が記憶されており、特典提供装置７から受信した識別情報が記憶されている正規のものであるかを判定できる。識別情報が正規のものであることが確認できると、コンピューターは特典提供装置７に対して特典データを送信する。
【００２５】
特典データを受信した特典提供装置７は、その特典データが印刷して進呈されるものである場合には、印刷装置にて特典内容を印刷し、排出口１０から排出する（図７参照）。また、特典データが音声データである場合または音声データを含む場合には、この音声データをスピーカー９から出力する。図７に示され、排出口１０から排出される特典は、当該店舗で利用することができる割引クーポン１１である。
【００２６】
ここでは詳述しないが、客には、マント１を着用し、このマント１に印刷された二次元バーコード４を店舗内に設置される特典提供装置７に読み取らせることで、特典を受け取ることができる旨が、ポスターや館内放送等を用いて伝えられるようになっている。図６に示されるように、特典提供装置７に二次元バーコード４を読み取らせる際、客はマント１の右下角を掴み、二次元バーコード４をバーコードリーダ８にかざして読み取らせる。マント１に印刷された二次元バーコード４は、それぞれの柄（広告表示）で異なり、特典提供装置７では、二次元バーコード４から復号された識別情報に応じてそれぞれ異なる特典を進呈可能になっている。例えば、図１（ａ）のトマト柄のマント１では生鮮食品の割引クーポンが得られ、図１（ｂ）のポテトチップス柄のマント１では菓子の割引クーポンが得られ、図１（ｃ）の洗剤柄のマント１では日用品の割引クーポンが得られるように設定できる。
【００２７】
上述したように、マント１に印刷された広告表示を、商品イラストや商品画像による総柄等の特徴のある目立つデザインとすることで、着用した客は非日常感を体験可能である。特に若者や子供には、このような体験をすることへのハードルが低く、また目立つデザインはＳＮＳで他人の関心を得やすい（所謂インスタ映え）ため、ＳＮＳへの投稿を目的として進んでマント１を着用してくれる可能性も高い。ＳＮＳに投稿されることで、このマント１に印刷された広告表示が拡散されることによる高い広告効果が期待できる。更に、店舗への集客にも貢献できる。
【００２８】
また、広告表示を有するマント１には、バーコードリーダ８によって読み取られることで、店舗内で利用できる特典が進呈される識別情報が付帯されているため、この特典を目当てにマント１を着用する客を獲得しやすい。そのため、視覚的に特徴のあるマント１を着用した状態の客が施設内を移動することで、多くの来客に対してこのマント１に表示された広告表示を見せることができ、高い広告効果を期待できる。このように高い広告効果を得ることができれば、企業がこの広告システムに広告を出す可能性が高まり、店舗側は効率よく広告収入を得ることができる。また、この広告収入を割引クーポンによる割引に充当することができるため、大胆な割引を行うことによる集客効果も期待でき、商品販売の売上を伸ばすことができる。
【００２９】
また、客は複数種類の中から好みの柄のマント１を選択できるため、マント１の着用回数を増やせる可能性が高まる。更に、特典提供装置７では、マント１の柄（広告表示）に応じて異なる特典を進呈できるため、柄の人気に偏りがあったとしても、異なる特典を求めて選択されるマント１の偏りを小さくすることができる。
【００３０】
また、特典提供装置７は商品陳列用什器の近傍に設置されていることから、マント１を着用した客は特典を得るために商品陳列用什器の近傍に移動する。そのため、商品陳列什器を見る客の視界にマント１の広告表示が入りやすい。
【００３１】
また、マント１が一枚の布地から形成されているため、背中一面に広告表示に利用できるつなぎ目のない広いスペースを確保できる。また、その右下隅に二次元バーコード４が印刷されていることから、着用時においてバーコードリーダ８に簡単に読み取らせることができるようになるため、マント１を手にとった客が実際に着用する確率を高めることができる。
【００３２】
また、各特典提供装置７ではそれぞれ異なる特典が進呈されるようになっており、マント１を着用した客が店舗内を回遊することや滞在時間の延長による高い広告効果に加えて、このマント１を着用した客自身の購買意欲も高めることができる。例えば、生鮮食品の売り場に設置された特典提供装置７では生鮮食品の割引クーポンが得られ、日用品の売り場に設置された特典提供装置７では日用品の割引クーポンが得られるように設定できる。
【００３３】
また、読取手段であるバーコードリーダ８と提供手段である印刷装置とが一体の特典提供装置７に備えられていることから、広告システムの導入が簡便である。
【００３４】
また、図８に示されるように、店舗内において目立つ場所に特典提供装置７Ａと、ステージ台１２が配置され、このステージ台１２に映像を投影できる、いわゆるプロジェクションマッピングを行うプロジェクター１３が配置されている。この特典提供装置７Ａとプロジェクター１３とが接続されており、当該特典提供装置７Ａで二次元バーコード４が読取られたことに基づき、プロジェクター１３がステージ台１２に向けて映像を投影する。この映像は、識別情報に対応するものであり、例えば図８ではマント１がトマト柄、すなわち調理される食べ物であるため、ステージ台１２と床面には、皿とナイフとフォークが表示され、トマト柄のマント１を着用した客を食材に見立てた演出がなされる。
【００３５】
このように、プロジェクションマッピングが行われることで、店舗内の客の強い関心を引くことができるとともに、ＳＮＳへの投稿を促すことができる。また、この特典提供装置７Ａでは、特別な特典、例えば他の特典提供装置７と比べて割引率の高いクーポン券等を進呈するようになっており、この映像を投影される体験に挑戦する客を獲得しやすくなっている。
【００３６】
尚、特典提供装置７は、特典データを判定手段であるコンピューターから受信する構成に限らず、特典提供装置７自身が記憶媒体を備え、特典データを有していてもよい。また、特典提供装置７自身が複数の識別情報を記憶し、かつ演算装置によって識別情報が正規のものであるかを判定する判定手段を備えていてもよい。
【実施例２】
【００３７】
次に、実施例２に係る広告システムにつき、図９と図１０を参照して説明する。尚、前記実施例と同一構成で重複する構成の説明を省略する。
【００３８】
図９に示されるように、広告システムは、店舗内に複数設置される付与用バーコードリーダ（付与用読取手段）１８と、図示しないレジに設置される照会用バーコードリーダ（照会用読取手段）１９と、これら付与用バーコードリーダ１８と照会用バーコードリーダ１９とそれぞれ接続される判定手段を構成するコンピューター２０と、コンピューター２０にインターネットを通じて接続可能なサーバ２１と、から構成されている。
【００３９】
コンピューター２０は、識別情報を管理する識別情報テーブル２２と、特典データを管理する特典テーブル２３と、記憶手段２４と、演算装置２５と、から構成されている。図１０に示されるように、付与用バーコードリーダ１８は商品陳列什器である冷蔵ショーケース６に直接取り付けられている。
【００４０】
マント１を着用した客は、店舗内を回遊して適宜、付与用バーコードリーダ１８にて二次元バーコード４を読み取らせる。この二次元バーコード４から復号された識別情報は、全て固有の識別情報となっている。つまり、マント１に印刷される二次元バーコード４は全て異なる。
【００４１】
付与用バーコードリーダ１８では、読み取った識別情報と、付与用バーコードリーダ１８自身を示す情報とをコンピューター２０に送信する。コンピューター２０では、演算装置２５が識別情報毎に当該二次元バーコードが読み取られた付与用バーコードリーダの情報を紐付け、記憶手段２４に記憶する。
【００４２】
マント１を着用した客の買い物が終わり、レジに移動して精算を行う際、最後に照会用バーコードリーダ１９で二次元バーコード４を再度読み取るようになっている。照会用バーコードリーダ１９で二次元バーコード４が読み取られると、読み取られた識別情報と照会用バーコードリーダ１９自身を示す情報とがコンピューター２０に送信される。コンピューター２０では、演算装置２５が受信した識別情報に紐付けられて記憶手段２４に記憶された付与用バーコードリーダ１８の情報を取り出す。そして、これら付与用バーコードリーダ１８の情報を特典テーブル２３で照会し、それぞれに対応する特典データをレジのＰＯＳ装置（図示せず）に送信する。ＰＯＳ装置では、コンピューター２０から受信した特典データの割引情報を購入金額に適用する。このような構成とすることで、特典を進呈する際のペーパーレスを実現できる。
【００４３】
尚、特典テーブル２３では、二次元バーコード４を読み取られた付与用バーコードリーダ１８の数や、その組み合わせに応じて、例えば「３箇所以上の付与用バーコードリーダ１８で二次元バーコード４が読み取られた場合には割引率を高める」や、「全種類の売り場（例えば生鮮、菓子、飲料、日用品）に設置された付与用バーコードリーダ１８で二次元バーコード４が読み取られた場合にはポイント３倍」といった様々な特典を用意することもできる。これによれば、マント１を着用した客の移動量の増加や移動経路の複雑化を生じさせ、多くの来客に対してこのマント１に表示された広告表示を見せることができる。
【００４４】
コンピューター２０は、二次元バーコード４が読み取られた時間をカウントして記憶可能であり、二次元バーコード４から復号された識別情報毎に、１日の中で照会用バーコードリーダ１９により読取られた回数や、一度の来店（照会用バーコードリーダ１９により読取られた後から、次に照会用バーコードリーダ１９により読取られるまでの間）にどの付与用バーコードリーダ１８に読み取られたかや、その読み取られた順番等を記憶手段２４に記憶することができる。この記憶手段２４に記憶された各種データは、インターネットを通じてサーバ２１に送信される。サーバ２１では、これらの各種データが記憶される。
【００４５】
図にて詳述しないが、ＰＣ等からサーバ２１に接続し、ログインに成功すると、これらの各種データを閲覧することができる。例えば、広告主である企業側にそれぞれログインＩＤを提供し、当該ログインＩＤに応じて、当該企業の広告表示が印刷されたマント１における各種データを閲覧可能としてもよく、これによれば企業側は広告効果を判断することができる。例えば、いずれの付与用バーコードリーダ１８にて二次元バーコード４が読み取られたかに基づき客の移動経路を推測できる。また、マント１のそれぞれ着用回数の統計を逐次把握することもできる。
【００４６】
また、各柄（広告表示）のマント１の着用回数をデータ化して、ランキング形式で広告主である企業に公開してもよい。これによれば、どのような柄が人気、すなわち広告効果が高いかの傾向を得ることができる。また、一般の関心を集めて広告効果を高めるために、このランキングを一般に公開してもよい。
【００４７】
また、図１０に示されるように、商品陳列什器の上方にはディスプレイ（表示装置）２６が設置されている。このディスプレイ２６はコンピューター２０と接続されており、ディスプレイ２６の近傍に設置された付与用バーコードリーダ１８にて二次元バーコード４が読みとられたことに基づき、当該二次元バーコード４から復元された識別情報に対応する広告表示に関する画面がディスプレイ２６に表示できるようになっている。これにより、より多くの客に対して広告表示を行うことができる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、広告表示は、マント１の表面１ａでなく裏面に表示されてもよい。また、表と裏の両面に表示されてもよく、これによれば、客が裏返しに着用しても広告表示が隠れることがない。
【００５０】
また、マント１に付される二次元バーコード４は、右下隅に限らず左下隅に配置されてもよいし、左右両端側であれば下端でなくてもよく、広告表示とは反対側（裏面）に配置されてもよい。
【００５１】
また、マント１は返却せずに持ち帰ることができる、または捨てることができるものであってもよい。
【００５２】
また、広告表示を有する広告被服は、マント１に限らず、ポンチョやガウン、ブランケット、マフラー、帽子等であってもよい。ガウンのように袖のある広告被服である場合には、二次元バーコードは左右の少なくとも一方の袖先近傍に設けられることが、読取りが容易となるため好ましい。
【００５３】
また、前記実施例において、マント１に付された識別情報は広告表示とともに安価に印刷可能な二次元バーコードであるが、これに限らず、例えばＲＦＩＤ等のＩＣチップであってもよく、その場合の読取手段は、ＲＦＩＤリーダである。
【００５４】
また、広告表示は印刷に限らず、例えば刺繍やシール等の他の方法で表示されてよい。
【００５５】
また、特典提供装置７は可搬型に、付与用バーコードリーダ１８は着脱自在とすることで、これらの配置位置は自由に設定できるようにしてもよい。例えば、付与用バーコードリーダ１８は同じ商品陳列什器に複数配置されてもよい。
【符号の説明】
【００５６】
１                マント
１ａ              マント表面
２                ループ
３                紐
４                二次元バーコード
５                貸出箱
６                冷蔵ショーケース（商品陳列用什器）
７，７Ａ          特典提供装置（進呈手段）
８                バーコードリーダ（読取手段）
９                スピーカー（進呈手段）
１０              排出口（進呈手段）
１１              割引クーポン
１２              ステージ台
１３              プロジェクター
１８              付与用バーコードリーダ（付与用読取手段）
１９              照会用バーコードリーダ（照会用読取手段）
２０              コンピューター（判定手段）
２１              サーバ
２２              識別情報テーブル
２３              特典デーブル
２４              記憶手段
２５              演算装置
２６              ディスプレイ
【図１】
2020119344.tif 000003
【図２】
2020119344.tif 000004
【図３】
2020119344.tif 000005
【図４】
2020119344.tif 000006
【図５】
2020119344.tif 000007
【図６】
2020119344.tif 000008
【図７】
2020119344.tif 000009
【図８】
2020119344.tif 000010
【図９】
2020119344.tif 000011
【図１０】
2020119344.tif 000012